(57)【要約】【課題】  小さな声で話してもよく聞き取れ、介護現場および病院などで使用できる、簡便な助聴器を提供すること。また本発明は会話に際して感染の危険の少ない助聴器を提供すること。【解決手段】  両端に直径が３ないし１５ｃｍの略円形の開口を有し、長さが５から２０ｃｍの円筒様形状の部材であり、中間部分に抗菌フィルターを有する、助聴器。好ましくは抗菌フィルターは交換可能であり、また前記円筒様形状の部材は両端部に向けて開口する２つの円錐台の部材を含む。【選択図】  図３
2010026140.tif 000002
【特許請求の範囲】
【請求項１】
両端に直径が３ないし１５ｃｍの略円形の開口を有し、長さが５から２０ｃｍの円筒様形状の部材であり、中間部分に抗菌フィルターを有する、助聴器。
【請求項２】
前記中間部分にフィルター保持用のカセット部分を有し、抗菌フィルターが交換可能である、請求項１記載の助聴器。
【請求項３】
前記カセット部分を含む部材が両端にねじ部分を有し、該ねじに円筒様形状の部材部品がそれぞれ結合されて前記円筒様形状の部材を形成する、請求項１または２記載の助聴器。
【請求項４】
前記円筒様形状の部材が、両端部に向けて開口する２つの円錐台の部材を含む、請求項１から３のいずれか１項記載の助聴器。
【請求項５】
前記円筒様形状の部材の一端または両端に抗菌性のパッドが取り付けられる、請求項１から４のいずれか１項記載の助聴器。
【請求項６】
前記円筒様形状の部材の外側表面にひも通し用の部材が取り付けられる、請求項１から５のいずれか１項記載の助聴器。
【請求項７】
前記円筒様形状の部材が長さ方向に伸縮可能である、請求項１から６のいずれか１項記載の助聴器。
【請求項８】
前記円筒様形状の部材の外側表面にひも通し用の部材が取り付けられ、前記円筒様形状の部材が長さ方向に縮められた状態で固定され、ひも通し用の部材にひもが通されて、ペンダント状にされた請求項７記載の助聴器。
【発明の詳細な説明】
【技術分野】
【０００１】
本発明は助聴器に関し、より詳細には難聴者の介護および看護などの際に用いられる簡便な助聴器に関する。
【背景技術】
【０００２】
従来簡便に使用される助聴器としては、両端が半球状であり、その間をじゃばらで伸縮および屈曲自在に結合したものが知られている。これは会話する２名がそれぞれ端部を持って、一人が端部を口に当て、もう一人が端部を耳に当て聞くというものである。しかし介護現場では要介護者が耳に器具を当てて保持することができない場合が多く、このような場合には従来の助聴器は使用できなかった。また病院で使用する場合も、患者は身体的に不自由である場合や、チューブなどで腕を動かせない場合も多く、このような場合には従来の助聴器は使用できなかった。
また直接耳元で話す場合には、大きな声で話す必要があり、複数の患者が一室にいる一般病棟では他の患者の迷惑になる場合も多かった。さらには、たとえば介護者や見舞い人が有害な菌の保菌者であった場合に感染のおそれもあったし、感染を防ぐためにマスクをして話すとよく聞き取れないと言うジレンマがあった。  
【発明の開示】
【発明が解決しようとする課題】
【０００３】
本発明は小さな声で話してもよく聞き取れ、介護現場および病院などで使用できる、簡便な助聴器を提供することを目的とする。また本発明は会話に際して感染の危険の少ない助聴器を提供することを目的とする。
【課題を解決するための手段】
【０００４】
本発明は、両端に直径が３ないし１５ｃｍの略円形の開口を有し、長さが５から２０ｃｍの円筒様形状の部材であり、中間に抗菌フィルターを有する、助聴器に関する。好ましい態様においては、本発明の助聴器は中間部分にフィルター保持用のカセット部分を有し、抗菌フィルターが交換可能である。また前記カセット部分を含む部材が両端にねじ部分を有し、該ねじに円筒様形状の部材部品がそれぞれ結合されて前記円筒様形状の部材を形成することができる。また典型的には本発明の助聴器は両端部に向けて開口する２つの円錐台が結合された形状を有する。好ましい態様においては、一端または両端に抗菌性のパッドが取り付けられる。好適には円筒形状の部材の外側表面にひも通し用の部材が取り付けられる。さらには前記円筒様形状の部材は長さ方向に伸縮可能であることができる。この態様においては、前記円筒様形状の部材の外側表面にひも通し用の部材が取り付けられ、前記円筒様形状の部材が長さ方向に縮められた状態で固定され、ひも通し用の部材にひもが通されて、ペンダント状の助聴器とすることができる。
【発明の効果】
【０００５】
本発明の助聴器は小さく軽量で、一人で簡単に保持でき、たとえば首から提げて常に携帯することができる。また抗菌フィルターが保持されているので、マスクをすることなく直接話をしても、話者からの感染の危険が低減される。抗菌フィルターを交換可能とすることにより、清潔な状態が長期間保持できる。また一端または両端に抗菌性のパッドを取り付けることにより、より衛生的に使用することができる。
また円筒状の本体を長さ方向に伸縮可能とすることにより、より小さくして携帯することができる。またひも通し用の部材を取り付け、これにひもを通して首からぶら下げてペンダントのようにして携帯することもできる。
【発明を実施するための最良の形態】
【０００６】
本発明の助聴器の断面図を図１に示す。本発明の助聴器１は、最も簡便には円筒様形状であることができる。両端の開口部の直径は３ないし１５ｃｍ、好ましくは５から１０ｃｍ、最も好ましくは５から７ｃｍであり、長さは５から２０ｃｍ、好ましくは１０から１５ｃｍである。この寸法は手で握りやすく、会話がしやすく、また声を大きくする必要がないという観点から好適なものである。円筒様形状とは、長さ方向に垂直な断面が略円形で中空の形状を言う。直径は全範囲にわたって一定である必要はなく円錐台形状も包含される。円筒様形状部材の材質は任意であるが、好ましくは紙または合成樹脂で作られる。またその表面に抗菌性被覆を施すことができるし、また抗菌剤を含有する合成樹脂で作ることもできる。
【０００７】
本発明の助聴器の中間部分には抗菌フィルター２が配置される。本発明で使用される抗菌フィルターは公知の任意のものが使用できる。エアコン、空気清浄機、掃除機などに使用される空気清浄用の抗菌フィルターが好適に使用され、各種抗菌剤、たとえば銀、カテキンおよびワサビ抽出物などの天然由来抗菌剤、抗菌性ゼオライト、酸化チタンなどの光触媒、リン酸系化合物、カチオン界面活性剤などの合成化合物抗菌剤などを坦持したものが使用できる。フィルターの基材としてはポリプロピレン不織布のような合成繊維の不織布、各種布帛の他、用途に応じて繊維メッシュなども使用することができる。
さらにウイルス透過防止用フィルター、消臭フィルターなどを一緒に使用することができる。これらのフィルターは一体として形成されてもよいし、別々に形成されたものを組み合わせて使用することもできる。
【０００８】
これらの抗菌フィルターは、接着剤などにより助聴器本体に固定することができる。好ましい態様においては、抗菌フィルターはカセット内に保持され、交換可能とされる。カセットは本発明の助聴器に、差し込み／取り出し可能に保持されることができる。たとえば助聴器の中間部分に円周の約半分よりも大きな開口部を設け、この開口部からカセットを差し込み／取り出すことができる。また本発明の助聴器を分離可能とし、カセットが組み込まれるようにしてもよい。たとえば助聴器をねじで分離／接合可能とし、接合部分に空間を設け、その内部にカセットを組み込むようにすることができる。
【０００９】
本発明の助聴器の例の斜視図を図２に、その断面図を図３に示す。図に示すように、好ましくは両端部に向けて開口する２つの円錐台形３および４が結合された形状を有する。円錐台の底面と母線のなす角度である底角５は２つの円錐台において異なっていてもよい。底角は好ましくは約８０から４５度である。
なお図３においては２つの円錐台形３および４は、その内部にねじが切られた接合部分６を有し、その内部に抗菌フィルターを保持するカセット７が固定される。接合部分６は点線で示された両端部分にねじが切られ、円錐台形３および４と結合される。
【００１０】
好ましい態様においては、本発明の助聴器の一端または両端に抗菌性のパッドが８および９が取り付けられ、使用感の向上が図られる。抗菌剤としては前述のものが使用できる。パッドの素材としては、発泡ウレタンなどで作られたスポンジが好適に使用できる。パッドは取り外し可能とすることが好ましい。
【００１１】
好ましい態様においては、円筒形状の部材の外側表面にひも通し用の部材１０が取り付けられる。たとえば半円形でひもを通す部分のある部材が取り付けられる。ひもを通して首からぶら下げることができるようにできる。またベット横などにぶら下げておけば、介護者または看護者が変わった場合にも容易に難聴者であることが把握される。
【００１２】
本発明の好ましい態様においては、本発明の助聴器の円筒様形状部材は長さ方向に伸縮可能である。たとえば各部材を入れ子またはじゃばらにし、使用しないときには短くした状態にすることができる。たとえば図４に示すように、２つの円錐台形状の部材を入れ子にされた複数の部品で構成することにより本発明の助聴器を伸縮可能とすることができる。これにより作業のじゃまにならない大きさでの常時携帯が容易になる。また縮めた状態に固定するために固定具を取り付けることもできる。この場合に本体にひも通し用の部材を取り付け、これにひもを通して首からぶら下げてペンダントのようにして携帯することができる。さらに縮めた状態で格納することのできるケースを一体として付属させることもできる。
また助聴器の外側表面には広告などを印刷することもできるし、難聴者であることを表示する文字やマークを表示して、第三者へアピールすることもできる。
【図面の簡単な説明】
【００１３】
【図１】本発明の助聴器の例の断面図である。
【図２】本発明の助聴器の例の斜視図である。
【図３】本発明の助聴器の例の断面図である。
【図４】本発明の助聴器の例の断面図である。
【符号の説明】
【００１４】
１：助聴器
２：抗菌フィルター
３：円錐台形部材
４：円錐台形部材
５：底角
６：接合部分
７：カセット
８：パッド
９：パッド
１０：ひも通し用の部材
【図１】
2010026140.tif 000003
【図２】
2010026140.tif 000004
【図３】
2010026140.tif 000005
【図４】
2010026140.tif 000006
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
両端に直径が３ないし１５ｃｍの略円形の開口を有し、長さが５から２０ｃｍの円筒様形状の部材であり、中間部分に抗菌フィルターを有する、助聴器。
【請求項２】
前記中間部分にフィルター保持用のカセット部分を有し、抗菌フィルターが交換可能である、請求項１記載の助聴器。
【請求項３】
前記カセット部分を含む部材が両端にねじ部分を有し、該ねじに円筒様形状の部材部品がそれぞれ結合されて前記円筒様形状の部材を形成する、請求項１または２記載の助聴器。
【請求項４】
前記円筒様形状の部材が、両端部に向けて開口する２つの円錐代の部材を含む、請求項１から３のいずれか１項記載の助聴器。
【請求項５】
前記抗菌フィルターとともにウィルス透過防止用フィルターを設けるとともに、前記円筒様形状の部材の一端または両端に抗菌性のパッドが取り付けられる、請求項１から４のいずれか１項記載の助聴器。
【請求項６】
前記円筒様形状の部材の外側表面にひも通し用の部材が取り付けられる、請求項１から５のいずれか１項記載の助聴器。
【請求項７】
前記円筒様形状の部材が長さ方向に伸縮可能である、請求項１から６のいずれか１項記載の助聴器。
【請求項８】
前記円筒様形状の部材の外側表面にひも通し用の部材が取り付けられ、前記円筒様形状の部材が長さ方向に縮められた状態で固定され、ひも通し用の部材にひもが通されて、ペンダント状にされた請求項７記載の助聴器。